(57)【要約】【課題】マルチキャストデータ情報をサポートノードから、ポイントツーポイントモードまたはポイントツーマルチポイントモードにある端末へと送信するための方法を提供する。【解決手段】この方法は、端末６がポイントツーマルチポイントモードにある間、マルチキャストデータ情報を、サポートノード１から端末６へと、コントローリング制御装置２を介して送信する。端末６がポイントツーポイントモードに移行するとすぐに、端末６はマルチキャストデータ情報をサポートノード１から、サービング制御装置３を介して、そしてコントローリング制御装置２を介して受信する。両コントローラ２、３の間のトラフィックを減らすために、コントローリング制御装置２内でマルチキャストデータ情報１０に対して、媒体アクセス制御２１が実行される。その結果、マルチキャストデータ情報１０は、もはやサービング制御装置３を介して交換される必要がない。【選択図】      図３
2005176348.tif 000002
【特許請求の範囲】
【請求項１】
マルチキャストデータ情報（１０〜１８）をサポートノード（１）から、ポイントツーポイントモードまたはポイントツーマルチポイントモードにある端末（６）へと送信する方法において、
シグナリング情報（３１〜３３）をサポートノード（１）と端末（６）との間で、サービング制御装置（３）およびコントローリング制御装置（２）を含む制御装置システムの少なくとも一部を介して交換するステップと、
マルチキャストデータ情報（１０〜１８）をサポートノード（１）から端末（６）へと、少なくとも１つの制御装置（２、３）を介して送信するステップと
を含む方法であって、
ポイントツーポイントモードにある端末（６）に向けて、コントローリング制御装置（２）内でマルチキャストデータ情報（１０）に対して媒体アクセス制御（２１）を実行するステップを、
さらに含むことを特徴とする方法。
【請求項２】
マルチキャストデータ情報（１０、１７）を媒体アクセス制御（２１）を介してチャネル上へとマッピングする（２３）ステップを、
さらに含むことを特徴とする請求項１に記載の方法。
【請求項３】
媒体アクセス制御（２１）が、コントローリング制御装置（２）内で生成されることを特徴とする請求項２に記載の方法。
【請求項４】
媒体アクセス制御（２１）が、サービング制御装置（３）内で生成された媒体アクセス制御のコピーであることを特徴とする請求項２に記載の方法。
【請求項５】
マルチキャストデータ情報（１０〜１８）をサポートノード（１）から、ポイントツーポイントモードまたはポイントツーマルチポイントモードにある端末（６）へと送信する方法で使用するためのコントローリング制御装置（２）において、前記方法が、
シグナリング情報（３１〜３３）をサポートノード（１）と端末（６）との間で、サービング制御装置（３）およびコントローリング制御装置（２）を含む制御装置システムの少なくとも一部を介して交換するステップと、
マルチキャストデータ情報（１０〜１８）をサポートノード（１）から端末（６）へと、少なくとも１つの制御装置（２、３）を介して送信するステップと
を含むコントローリング制御装置（２）であって、
ポイントツーポイントモードにある端末（６）に向けてマルチキャストデータ情報（１０）を制御するための媒体アクセスコントローラ（２１）を、含むことを特徴とする、コントローリング制御装置（２）。
【請求項６】
マルチキャストデータ情報（１０、１７）を媒体アクセスコントローラ（２１）を介してチャネル上へとマッピングするためのマッパ（２３）を、
さらに含むことを特徴とする請求項５に記載のコントローリング制御装置（２）。
【請求項７】
媒体アクセスコントローラ（２１）が、コントローリング制御装置（２）内で生成されることを特徴とする請求項６に記載のコントローリング制御装置（２）。
【請求項８】
媒体アクセスコントローラ（２１）が、サービング制御装置（３）内で生成された媒体アクセス制御のコピーであることを特徴とする請求項６に記載のコントローリング制御装置（２）。
【請求項９】
マルチキャストデータ情報（１０〜１８）をサポートノード（１）から、ポイントツーポイントモードまたはポイントツーマルチポイントモードにある端末（６）へ送信する方法で使用するための媒体アクセスコントローラ（２１）において、前記方法が、
シグナリング情報（３１〜３３）をサポートノード（１）と端末（６）との間で、サービング制御装置（３）およびコントローリング制御装置（２）を含む制御装置システムの少なくとも一部を介して交換するステップと、
マルチキャストデータ情報（１０〜１８）をサポートノード（１）から端末（６）へと、少なくとも１つの制御装置（２、３）を介して送信するステップとを含む媒体アクセスコントローラ（２１）であって、
ポイントツーポイントモードにある端末（６）に向けてマルチキャストデータ情報（１０）を制御するための、コントローリング制御装置（２）の一部をなすように構成されることを特徴とする、媒体アクセスコントローラ（２１）。
【請求項１０】
マルチキャストデータ情報（１０〜１８）をサポートノード（１）から、ポイントツーポイントモードまたはポイントツーマルチポイントモードにある端末（６）へ送信する方法で使用するためのプロセッサプログラム製品において、前記方法が、
シグナリング情報（３１〜３３）をサポートノード（１）と端末（６）との間で、サービング制御装置（３）およびコントローリング制御装置（２）を含む制御装置システムの少なくとも一部を介して交換するステップと、
マルチキャストデータ情報（１０〜１８）をサポートノード（１）から端末（６）へと、少なくとも１つの制御装置（２、３）を介して送信するステップとを含むプロセッサプログラム製品であって、
ポイントツーポイントモードにある端末（６）に向けて、コントローリング制御装置（２）内でマルチキャストデータ情報（１０）に対して媒体アクセス制御（２１）を実行する機能をさらに含むことを特徴とするプロセッサプログラム製品。
【発明の詳細な説明】
【技術分野】
【０００１】
本発明は、マルチキャストデータ情報をサポートノードから、ポイントツーポイントモードまたはポイントツーマルチポイントモードにある端末へと送信するための方法において、
シグナリング情報をサポートノードと端末との間で、サービング制御装置およびコントローリング制御装置を含む制御装置システムの少なくとも一部を介して交換するステップと、
マルチキャストデータ情報をサポートノードから端末へと、少なくとも１つの制御装置を介して送信するステップとを含む方法に関連する。
【０００２】
そのようなサポートノードは、たとえば、サービス汎用パケット無線システムサポートノードに相当し、そのような端末は、たとえば、汎用パケット無線システムまたはユニバーサル移動体通信システムにおける、移動体端末に相当し、そのようなサービング制御装置は、たとえば、サービング無線ネットワーク制御装置に相当し、そのようなコントローリング制御装置は、たとえば、コントローリング無線ネットワーク制御装置に相当する。
【背景技術】
【０００３】
従来技術の方法は共通一般知識である。普通、（たとえば気象情報、交通情報、映画などの）たとえばマルチメディアブロードキャストマルチキャストサービス情報などの、マルチキャストデータ情報を送信するときに、ポイントツーマルチポイントモードになっているセル内にあり、かつポイントツーマルチポイントモードになっている端末は、シグナリング情報を、サービング制御装置およびコントローリング制御装置を介してサポートノードと交換する。すなわち、シグナリング情報を、サポートノードはサービング制御装置と、サービング制御装置はコントローリング制御装置と、コントローリング制御装置は端末と交換するが、ノードおよび／またはインターフェースがさらに間にあってもよく、サービング制御装置およびコントローリング制御装置が同じ物理ノード内にあってもよい。これらのポイントツーマルチポイントモードにある端末は、マルチキャストデータ情報を、サービング制御装置が関わることなく、サポートノードからコントローリング制御装置を介して受信する。
【０００４】
セルがポイントツーマルチポイントモードからポイントツーポイントモードに移行するとすぐに、このセル内のすべての端末が、ポイントツーマルチポイントモードからポイントツーポイントモードへと移行する。ポイントツーポイントモードにある端末は、依然、シグナリング情報を前述と同様の方法で交換している（このシグナリング情報によって、たとえば、この端末にモードの変更が指示されたのである）。しかし、これらのポイントツーポイントモードにある端末は、今度は、マルチキャストデータ情報を、前述とは異なる方法で受信する。ポイントツーポイントモードにある端末は、マルチキャストデータ情報を、サポートノードからコントローリング制御装置およびサービング制御装置を介して受信する。すなわち、マルチキャストデータ情報を、サポートノードはサービング制御装置に、サービング制御装置はコントローリング制御装置に、コントローリング制御装置は端末に送信し、ノードおよび／またはインターフェースがさらに間にあってもよく、サービング制御装置およびコントローリング制御装置が同じ物理ノード内にあってもよい。
【０００５】
知られている方法では、とりわけ、セル内の端末がポイントツーポイントモードにある場合に、サービング制御装置からコントローリング制御装置へ、このセル内のすべての端末についての比較的大量のマルチキャストデータ情報トラフィックが送信されるので、不利である。サービング制御装置とコントローリング制御装置の間に位置するインターフェースの限られた能力が、このとき比較的に非効率的に使用されている。
【発明の開示】
【発明が解決しようとする課題】
【０００６】
本発明の目的は、とりわけ、セル内の端末がポイントツーポイントモードにある場合に、サービング制御装置からコントローリング制御装置へ、このセル内のすべての端末について、より少ないマルチキャストデータ情報トラフィックが送信される、プリアンブルで定義された方法を提供することである。
【課題を解決するための手段】
【０００７】
本発明による方法は、
ポイントツーポイントモードにある端末に向けて、コントローリング制御装置内でマルチキャストデータ情報に対して媒体アクセス制御を実行するステップをさらに含むことを特徴とする。
【０００８】
ポイントツーポイントモードにある端末に向けたマルチキャストデータ情報に対する媒体アクセス制御を導入することにより、マルチキャストデータ情報は、もはやサービング制御装置を介して交換される必要はなく、サポートノードからコントローリング制御装置へ、コントローリング制御装置から端末へと送信されることが可能になる。媒体アクセス制御により、マルチキャストデータ情報がポイントツーポイントモードにある端末へとシグナリング情報とは独立に送信されることが可能になる。その結果、サービング制御装置とコントローリング制御装置の間で、ゼロのマルチキャストデータ情報トラフィックまでの、より少ないマルチキャストデータ情報トラフィックが、交換されることでよい。
【０００９】
ポイントツーマルチポイントの状況で、すでに（シグナリング情報を扱うための）制御プレーンと（マルチキャストデータ情報を扱うための）ユーザプレーンとが互いに分離されていた。媒体アクセス制御の導入により、両プレーンをポイントツーポイントの状況でも分離することが可能になる。
【００１０】
端末がポイントツーポイントモードにある、またはポイントツーマルチポイントモードにあると言う代わりに、代替表現として、端末がポイントツーポイントモードおよびポイントツーマルチポイントモードを含む、または端末がポイントツーポイントモード／ポイントツーマルチポイントモードを含むと言うこともできる。もちろん、端末は一時に両モードのうちの１つのみであることができ、そのほかのモードが除外されるわけではない。
【００１１】
本発明による方法の一実施形態は、
マルチキャストデータ情報を媒体アクセス制御を介してチャネル上へとマッピングするステップをさらに含むことを特徴とする。
【００１２】
マルチキャストデータ情報の媒体アクセス制御を介したチャネル上へのマッピングを導入することにより、マルチキャストデータ情報およびシグナリング情報が、異なる物理チャネルまたは１つまたは複数の異ならない物理チャネルのいずれかを介して端末に送られる。
【００１３】
本発明による方法の一実施形態は、媒体アクセス制御が、コントローリング制御装置内で生成されることを特徴とする。
【００１４】
（新しい）媒体アクセス制御を適用することにより、マルチキャストデータ情報およびシグナリング情報は、多重化された方法で、異なる物理チャネルを介して、端末に送られ、端末でこれらの物理チャネルを復調する。
【００１５】
本発明による方法の一実施形態は、媒体アクセス制御が、サービング制御装置内で生成された媒体アクセス制御のコピーであることを特徴とする。
【００１６】
サービング制御装置によってすでに使用された（古い）媒体アクセス制御のコピーを適用することにより、マルチキャストデータ情報およびシグナリング情報は、多重化された方法で、１つまたは複数の異ならない物理チャネルを介して、端末に送られ、端末でこれらの物理チャネルを復調する。
【００１７】
本発明は、また、マルチキャストデータ情報をサポートノードから、ポイントツーポイントモードまたはポイントツーマルチポイントモードにある端末へと送信する方法で（と組み合わせて）使用するためのコントローリング制御装置において、この方法が、
シグナリング情報をサポートノードと端末との間で、サービング制御装置およびコントローリング制御装置を含む制御装置システムの少なくとも一部を介して交換するステップと、
マルチキャストデータ情報をサポートノードから端末へと、少なくとも１つの制御装置を介して送信するステップとを含むコントローリング制御装置に関連する。
【００１８】
本発明によるコントローリング制御装置は、
ポイントツーポイントモードにある端末に向けてマルチキャストデータ情報を制御するための媒体アクセスコントローラを含むことを特徴とする。
【００１９】
本発明によるコントローリング制御装置の一実施形態は、コントローリング制御装置が、
マルチキャストデータ情報を媒体アクセスコントローラを介してチャネル上へとマッピングするためのマッパを、さらに含むことを特徴とする。
【００２０】
本発明によるコントローリング制御装置の一実施形態は、媒体アクセス制御が、コントローリング制御装置内で生成されることを特徴とする。
【００２１】
本発明によるコントローリング制御装置の一実施形態は、媒体アクセス制御が、サービング制御装置内で生成された媒体アクセス制御のコピーであることを特徴とする。
【００２２】
本発明は、さらに、マルチキャストデータ情報をサポートノードから、ポイントツーポイントモードまたはポイントツーマルチポイントモードにある端末へ送信する方法で（と組み合わせて）使用するための媒体アクセスコントローラにおいて、この方法は、
シグナリング情報をサポートノードと端末との間で、サービング制御装置およびコントローリング制御装置を含む制御装置システムの少なくとも一部を介して交換するステップと、
マルチキャストデータ情報をサポートノードから端末へと、少なくとも１つの制御装置を介して送信するステップとを含む媒体アクセスコントローラに関連する。
【００２３】
本発明による媒体アクセスコントローラは、ポイントツーポイントモードにある端末に向けてマルチキャストデータ情報を制御するためのコントローリング制御装置の一部をなすように構成されることを特徴とする。
【００２４】
本発明は、さらにまた、マルチキャストデータ情報をサポートノードからポイントツーポイントモードまたはポイントツーマルチポイントモードにある端末へ送信する方法で（と組み合わせて）使用するためのプロセッサプログラム製品ににおいて、この方法は、
シグナリング情報をサポートノードと端末との間で、サービング制御装置およびコントローリング制御装置を含む制御装置システムの少なくとも一部を介して交換するステップと、
マルチキャストデータ情報をサポートノードから端末へと、少なくとも１つの制御装置を介して送信するステップとを含むプロセッサプログラム製品に関連する。
【００２５】
本発明によるプロセッサプログラム製品は、
ポイントツーポイントモードにある端末に向けて、コントローリング制御装置内でマルチキャストデータ情報に対して媒体アクセス制御を実行する機能を含む。
【００２６】
本発明による媒体アクセスコントローラの、および本発明によるプロセッサプログラム製品の実施形態は、本発明による方法の、および／または本発明によるコントローリング制御装置の実施形態に対応する。
【００２７】
本発明は、とりわけ、セル内の端末がポイントツーポイントモードにある場合に、サービング制御装置からコントローリング制御装置へと、サービング制御装置を介して流れるマルチキャストデータ情報トラフィックが、このセル内のすべての端末に向けて非効率的に回送されているという洞察に基づき、またとりわけ、コントローリング制御装置内に媒体アクセス制御を導入することにより、マルチキャストデータ情報トラフィックは、サービング制御装置からコントローリング制御装置へと、サービング制御装置が関わることなく、より効率的に回送されることが可能であるとの基本的考えに基づいている。
【００２８】
本発明は、とりわけ、セル内の端末がポイントツーポイントモードにある場合に、サービング制御装置からコントローリング制御装置へと、このセル内のすべての端末に向けて、より少ないマルチキャストデータ情報トラフィックが送信される、プリアンブルで定義された方法を提供するための問題を解決し、またとりわけ、サービング制御装置とコントローリング制御装置の間で、ゼロのマルチキャストデータ情報トラフィックまでの、少ないマルチキャストデータ情報トラフィックが交換されることでよいという点で有利である。さらに、ポイントツーポイントモードとポイントツーマルチポイントモードで異なる操作の数が減らされる。他の利点としては、本解決策が後方互換であることであり、これは、通常のパケット交換および回線交換の呼が正常に実行されることが可能であること、および無線ネットワーク制御装置が、サービス区域の一部をなす場合に、分布マルチキャストツリーに登録するだけでよいことがある異を意味する（分布マルチキャストツリーに関しては、今日の状況は、マルチメディアブロードキャストマルチキャストサービスデータを受信するユーザを管理する無線ネットワーク制御装置は、これらのサービス汎用パケット無線システムサポートノードに登録し、マルチメディアブロードキャストマルチキャストサービス無線アクセスベアラを要求する必要がある、ということである。特定のマルチメディアブロードキャストマルチキャストサービスが提供される区域では、端末がポイントツーポイントモードにあるという問題、および、端末がデータを、マルチメディアブロードキャストマルチキャストサービス区域に属するどのようなセルも制御しないサービング無線ネットワーク制御装置から得るという問題が解決される）。
【００２９】
本発明のこれらおよび他の態様は、以下に説明する実施形態から明らかとなり、またその参照によって明らかにされよう。
【発明を実施するための最良の形態】
【００３０】
サポートノードから端末へとマルチキャストデータ情報を送信するための従来技術の方法が図１に示されており、この図には、サポートノード１、コントローリング制御装置２、サービング制御装置３、第１のセル４内にある第１の端末６、第２のセル５内にある第２の端末７および第３の端末８が開示されている。たとえばサービス汎用パケット無線システムサポートノードなどのサポートノード１は、たとえばコントローリング無線ネットワーク制御装置などのコントローリング制御装置２に、そして、たとえばサービング無線ネットワーク制御装置などのサービング制御装置３に結合される。端末６、７および８は、たとえば、汎用パケット無線システムまたはユニバーサル移動体通信システム内の、移動体端末に対応する。
【００３１】
図１Ａ（従来技術）では、端末６、７および８がすべて、ポイントツーマルチポイントモードにある。（たとえば気象情報、交通情報、映画などの）たとえばマルチメディアブロードキャストマルチキャストサービス情報のようなマルチキャストデータ情報１０、１１をサポートノード１から端末６へと送信するときに、たとえばサービング制御装置３およびコントローリング制御装置２を介して、端末６はサポートノード１とシグナリング情報３１〜３３を交換する必要があるが、ノードおよび／またはインターフェースがさらに間にあってもよく、サービング制御装置３およびコントローリング制御装置２が同じ物理ノード内にあってもよい。ポイントツーマルチポイントモードにある端末６は、マルチキャストデータ情報１０、１１を、サービング制御装置３が関わることなく、サポートノード１からコントローリング制御装置２を介して受信する。同様に、ポイントツーマルチポイントモードにある端末７および８は、マルチキャストデータ情報１０、１２および１３を、この場合もサービング制御装置３が関わることなく、サポートノード１からコントローリング制御装置２を介して受信する。
【００３２】
図１Ｂ（従来技術）では、セル４がポイントツーポイントモードに移行したために、端末６がポイントツーポイントモードに移行している。端末７および８は、依然としてポイントツーマルチポイントモードにあるが、これはセル５が依然としてポイントツーマルチポイントモードにあるためである。いま、ポイントツーポイントモードにある端末６は、依然としてシグナリング情報３１〜３３を、前述と同様の従来技術の方法で交換している（実際、このシグナリング情報によって、端末にたとえばモードの変更が指示される）。しかし、このポイントツーポイントモードにある端末６は、いまマルチキャストデータ情報１４〜１６を前述とは異なる方法（依然として従来技術の方法）で受信している。ポイントツーポイントモードにある端末６は、マルチキャストデータ情報１４〜１６を、サポートノード１からコントローリング制御装置２およびサービング制御装置３を介して受信する。すなわち、サポートノード１はマルチキャストデータ情報１４をサービング制御装置３へ送信し、サービング制御装置３はマルチキャストデータ情報１５をコントローリング制御装置２へ送信し、コントローリング制御装置２はマルチキャストデータ情報１６を端末６へと送信するが、ノードおよび／またはインターフェースがさらに間にあってもよく、サービング制御装置３およびコントローリング制御装置２が同じ物理ノード内にあってもよい。端末７および８は、セル４内ではなくもう一方のセル５内にあり、したがってポイントツーマルチポイントモードにとどまることが可能である。これらの端末７および８は、マルチキャストデータ情報１０、１２および１３を、図１Ａに関して説明したのと同じ従来技術の方法で受信する。
【００３３】
図１Ａに一致する図２Ａ（従来技術）では、端末６、７および８がすべて、ポイントツーマルチポイントモードにあり、シグナリング情報３１〜３３およびマルチキャストデータ情報１０〜１３が、図１Ａに関して説明したのと同じ従来技術の方法で交換されている。
【００３４】
図２Ｂ（本発明）では、端末６はポイントツーポイントモードに移行しているが、端末７および８は依然としてポイントツーマルチポイントモードにある。いまポイントツーポイントモードにある端末６は、依然としてシグナリング情報３１〜３３を前述と同様の従来技術の方法で交換している。しかし、このポイントツーポイントモードにある端末６は、いまマルチキャストデータ情報１０、１７を（本発明によれば、サービング制御装置２とコントローリング制御装置３の間のマルチキャストデータ情報トラフィックを減らすために）、新しい発明の方法で受信する。ポイントツーポイントモードにある端末６は、マルチキャストデータ情報１０、１７を、サービング制御装置３が関わることなく、サポートノード１からコントローリング制御装置２を介して受信する。すなわち、サポートノード１はマルチキャストデータ情報１０をコントローリング制御装置２へ送信し、コントローリング制御装置２はマルチキャストデータ情報１７を端末６へと送信するが、ノードおよび／またはインターフェースがさらに間にあってもよく、サービング制御装置３およびコントローリング制御装置２が同じ物理ノード内にあってもよい。端末７および８は、セル４内ではなくもう一方のセル５内にあり、したがってポイントツーマルチポイントモードにとどまることが可能である。これらの端末７および８は、マルチキャストデータ情報１０、１２および１３を図１Ａに関して説明したのと同じ従来技術の方法で受信する。
【００３５】
その結果、サービング制御装置３とコントローリング制御装置２の間で、ゼロのマルチキャストデータ情報トラフィックまでの、より少ないマルチキャストデータ情報トラフィックが交換されることでよい。これは、ポイントツーポイントモードにある端末に向けたマルチキャストデータ情報に対するコントローリング制御装置２内に媒体アクセス制御を導入して可能になったものである。媒体アクセス制御により、マルチキャストデータ情報が、ポイントツーポイントモードにある端末へとシグナリング情報とは独立に送信されることが可能になる。媒体アクセスコントローラは図３、４、および５の小部分として示されている。
【００３６】
図３（本発明）は、サービング制御装置３が媒体アクセスコントローラ３０を含む点を除き、コントローリング制御装置２が２つの媒体アクセスコントローラ２１〜２２を含む点を除き、第４の端末９がセル４内に存在してマルチキャストデータ情報１８をコントローリング制御装置２から受信する点を除くと、図２Ｂに一致する。端末６と９はどちらもポイントツーポイントモードにあり、端末７および８はポイントツーマルチポイントモードにある。端末６は、依然としてシグナリング情報３１〜３３を前述と同様の方法で交換している。シグナリング情報３１、３２は、媒体アクセスコントローラ３０によって、従来技術の方法で制御されている。場合によっては、シグナリング情報３２、３３は、簡単のため、図３でコントローリング制御装置２内に図示されない、媒体アクセスコントローラ２０によって制御されるのでもよい。端末６は、マルチキャストデータ情報１０、１７を、図２Ｂに関して前述したのと同じ新しい発明の方法で受信する。マルチキャストデータ情報１７は、媒体アクセスコントローラ２１によって制御され、マルチキャストデータ情報１０、１７は、媒体アクセスコントローラ２１および２２のうちの少なくとも１つによって制御される。端末９では、マルチキャストデータ情報１８が、媒体アクセスコントローラ２１によって制御される。端末７および８は、セル４内ではなくもう一方のセル５内にあり、したがってポイントツーマルチポイントモードにとどまることが可能である。これらの端末７および８は、マルチキャストデータ情報１０、１２および１３を、図１Ａに関して説明したのと同じ従来技術の方法で受信し、これらのマルチキャストデータ情報１０、１２および１３は、媒体アクセスコントローラ２２によって制御される。
【００３７】
図３（本発明）では、媒体アクセスコントローラ２１は、コントローリング制御装置２内で、生成器（図示せず）によって生成された新しい媒体アクセスコントローラであるか、または、媒体アクセスコントローラ２１は、サービング制御装置３内で生成された（古い）媒体アクセスコントローラのコピーであるかのいずれかであり、サービング制御装置３内の送信器（図示せず）およびコントローリング制御装置２内の受信器（図示せず）を介して交換される。
【００３８】
図４（本発明）は、今度はシグナリング情報３２，３３もさらに媒体アクセスコントローラ２１によって制御される点を除くと、図３に一致する。ここでも同様に、媒体アクセスコントローラ２１は、コントローリング制御装置２内で生成された新しい媒体アクセスコントローラであるか、または、媒体アクセスコントローラ２１は、サービング制御装置３内で生成された媒体アクセスコントローラのコピーであるかのいずれかである。
【００３９】
図５（本発明）は、たとえば図３、４に示されるコントローリング制御装置２のような、本発明による一般的なコントローリング制御装置が示している。コントローリング制御装置２は、プロセッサ４０、第１の入出力インターフェース４１、カプラ４２および第２の入出力インターフェース４３を含む。インターフェース４１、４３はどちらも、カプラ４３を介して互いに結合されており、これにより、シグナリング情報、マルチキャストデータ情報、およびさらに別の情報を、場合によってはバッファ（図示せず）を介して、スイッチすることが可能になる。プロセッサ４０は、インターフェース４１、４３のどちらもおよびカプラ４２を制御し、後で論じる媒体アクセスコントローラ２０と、先に論じた媒体アクセスコントローラ２１〜２２と、マルチキャストデータ情報１０、１７を媒体アクセスコントローラ２１を介してチャネル上へとマッピングするためのマッパ２３とを含む。さらに別のマッパおよびコントローラが除外されない。媒体アクセスコントローラ２０は、たとえば、共通チャネル上でデータを運ぶのに使用され、専用の論理接続が共通トランスポートチャネル（プロトコルスタック内の異なるレベル）上で行われると、そのデータは、専用の媒体アクセスコントローラから、共通の媒体アクセスコントローラを通して、端末へと送られる。
【００４０】
シグナリング情報３１〜３３は論理接続を介して交換されるが、簡単のため、端末６に関してのみ示されている。マルチキャストデータ情報１０〜１３は共通チャネルを介して交換される。マルチキャストデータ情報１４〜１８は専用のチャネルを介して交換される。
【００４１】
たとえば「制御するための」や「マッピングするための」などにおける「ための」という表現は、同時にせよそうでないにせよ、他の機能も実行されることを除外するものではない。「Ｙに結合されたＸ」、「ＸとＹの間の結合」、「ＸとＹを結合する（こと）」などの表現は、要素ＺがＸとＹの間にあることを除外するものではない。「ＰがＱを含む」や「Ｑを含むＰ」などの表現は、要素Ｒも含まれることを除外するものではない。「ａ」および「ａｎ」という語は、１つまたは複数存在する可能性を除外するものではない。
【００４２】
シグナリング情報を交換するステップ、マルチキャストデータ情報を送信するステップ、媒体アクセス制御を実行するステップ、およびマッピングするステップは、たとえば、とりわけ、図２Ｂ、３、４、５などに関して説明された諸ステップなどのさらに別のステップを除外するものではない。
【図面の簡単な説明】
【００４３】
【図１Ａ】ポイントツーマルチポイントの状況に関して従来技術の方法および従来技術のシステムを示すブロック図である。
【図１Ｂ】ポイントツーポイントの状況に関して従来技術の方法および従来技術のシステムを示すブロック図である。
【図２Ａ】ポイントツーマルチポイントの状況に関して従来技術の方法および従来技術のシステムを示すブロック図である。
【図２Ｂ】ポイントツーポイントの状況に関して本発明による方法および本発明によるシステムを示すブロック図である。
【図３】ポイントツーポイントの状況に関して、本発明による方法、および本発明によるコントローリング制御装置を含む本発明によるシステムを、詳細に示すブロック図である。
【図４】ポイントツーポイントの状況に関して、本発明によるさらなる方法、および本発明によるさらなるコントローリング制御装置を含む本発明によるさらなるシステムを、詳細に示すブロック図である。
【図５】本発明による一般的なコントローリング制御装置を示すブロック図である。
【符号の説明】
【００４４】
１  サポートノード
２  コントローリング制御装置
３  サービング制御装置
４  第１のセル
５  第２のセル
６  第１の端末
７  第２の端末
８  第３の端末
９  第４の端末
１０〜１８  マルチキャストデータ情報
２０、２１、２２、３０  媒体アクセスコントローラ
２３  マッパ
３１、３２、３３  シグナリング情報
４０  プロセッサ
４１  第１の入出力インターフェース
４２  カプラ
４３  第２の入出力インターフェース
【図１Ａ】
2005176348.tif 000003
【図１Ｂ】
2005176348.tif 000004
【図２Ａ】
2005176348.tif 000005
【図２Ｂ】
2005176348.tif 000006
【図３】
2005176348.tif 000007
【図４】
2005176348.tif 000008
【図５】
2005176348.tif 000009
【外国語明細書】
2005176348.tif 000010
2005176348.tif 000011
2005176348.tif 000012
2005176348.tif 000013
2005176348.tif 000014
2005176348.tif 000015
2005176348.tif 000016
2005176348.tif 000017
2005176348.tif 000018
2005176348.tif 000019
2005176348.tif 000020
2005176348.tif 000021
2005176348.tif 000022
2005176348.tif 000023
2005176348.tif 000024
2005176348.tif 000025
2005176348.tif 000026
2005176348.tif 000027
2005176348.tif 000028
2005176348.tif 000029
2005176348.tif 000030
2005176348.tif 000031
2005176348.tif 000032
2005176348.tif 000033